(57)【要約】【課題】家庭のリビングやダイニング、子供部屋にも設置可能な可愛い生ゴミ処理器を提供する。【解決手段】可愛いぬいぐるみの内部に収納スペースと開閉自在の口を設け、生ゴミと生ゴミ処理材を入れた小さなぬいぐるみの出し入れを可能としたぬいぐるみ生ゴミ処理器を考案。さらにぬいぐるみ生ゴミ分解中に発生する水蒸気が水滴となるときに水滴の受け皿となる容器と、ぬいぐるみ生ゴミ処理器と容器を収容するインテリア性の高い化粧箱からなる生ゴミ処理器セットを考案した。【選択図】図３
0003148426.tif 000002
【実用新案登録請求の範囲】
【請求項１】
ぬいぐるみの内部に収納スペースと開閉自在の口を設け、生ゴミと生ゴミ処理材を入れた小さなぬいぐるみの出し入れを可能としたぬいぐるみ生ゴミ処理器と、生ゴミ分解中に発生する水蒸気が水滴となるとき水滴の受け皿となる容器と、ぬいぐるみの生ゴミ処理器と容器を収容するインテリア性が高い化粧箱からなる生ゴミ処理器セット。
【請求項２】
前記大小2つのぬいぐるみは、通気性のある目の細かい布等適宜素材にて形成されたぬいぐるみで、インテリア性が高く家庭のリビングやキッチン、子供部屋等の室内に設置可能な請求項１に記載のぬいぐるみ生ゴミ処理器。
【請求項３】
前記小さなぬいぐるみの内部に収納スペースと開閉自在の口を設け、中に生ゴミ処理材（腐葉土・ピートモス等）、消臭材（炭くん等）、みじん切りサイズの野菜等生ゴミを入れ、生ゴミ処理材内の微生物が生ゴミを分解する請求項１または２記載のぬいぐるみ生ゴミ処理器。
【請求項４】
前記容器は、ぬいぐるみ生ゴミ処理器を収容し、生ゴミ分解中に発生する水蒸気が水滴となるときに水滴の受け皿となる。また生ゴミの分解処理が完成し堆肥となった後は、容器を植木鉢として利用し、ぬいぐるみ生ゴミ処理器で作った堆肥による植物の育成を可能とした請求項１に記載のぬいぐるみ生ゴミ処理器セット。
【請求項５】
前記化粧箱は、紙で形成されており内部および外部は防水加工が施され、箱の蓋の開閉によりぬいぐるみ生ゴミ処理器内部の温度・湿度を調整する請求項１記載のぬいぐるみ生ゴミ処理器セット。
【請求項６】
前記化粧箱は、持ち手のあるインテリア性の高い化粧箱であり、収容するぬいぐるみ生ゴミ処理器と容器の持ち運びを簡単にする請求項１または5記載のぬいぐるみ生ゴミ処理器セット。
【考案の詳細な説明】
【技術分野】
【０００１】
本考案は、ぬいぐるみの内部に生ゴミと生ゴミ処理材を入れた小さなぬいぐるみを収容した生ゴミ処理器と、容器と化粧箱からなるインテリア性の高い生ゴミ処理器セットに関するものである。
【背景技術】
【０００２】
生ゴミ処理器といえば屋外に据え置く装置であり、雨水に汚れたり虫が発生しやすく不潔なイメージがある。
【考案の開示】
【考案が解決しようとする課題】
【０００３】
家庭のリビングやダイニング、子供部屋にも設置可能な可愛い生ゴミ処理器が求められている。
【課題を解決するための手段】
【０００４】
本考案は、可愛いぬいぐるみの内部に収納スペースと開閉自在の口を設け、生ゴミと生ゴミ処理材、消臭剤を入れた小さなぬいぐるみの出し入れを可能とした生ゴミ処理器と、生ゴミ分解中に発生する水蒸気が水滴となるときに水滴の受け皿となる容器と、ぬいぐるみ生ゴミ処理器と容器を収容するインテリア性の高い化粧箱からなる生ゴミ処理器セットである。
【０００５】
大小2つのぬいぐるみは、通気性のある目の細かい布等適宜素材にて形成されたぬいぐるみで、小さなぬいぐるみには生ゴミ処理材である腐葉土・ピートモス等、消臭剤である炭くん等、みじん切りサイズの野菜等の生ゴミを入れる。生ゴミ処理材内に生息する好気性微生物が生ゴミを分解する。
ぬいぐるみを揉むようにすることで処理材と生ゴミが撹拌され、小さなぬいぐるみのすみずみまで空気が行き渡り、好気性微生物の動きが活発化し生ゴミが分解しやすくなるとともに、悪臭の元となる嫌気性微生物の動きを抑えることが可能となる。
【０００６】
容器は、ぬいぐるみ生ゴミ処理器を収容し生ゴミ分解中に発生する水蒸気が水滴となるときに水滴の受け皿となり、出窓やテーブル等にぬいぐるみ生ゴミ処理器を置く場合も水滴で濡らすことを防ぐことが可能である。また生ゴミの分解処理が完成し堆肥となった後は、容器を植木鉢として利用し、ぬいぐるみ生ゴミ処理器で作った堆肥で植物を育て楽しむことが可能である。
【０００７】
化粧箱は、紙で形成されており内部および外部は防水加工が施され、箱蓋の開閉によりぬいぐるみ生ゴミ処理器内部の温度・湿度の調整が可能である。
【０００８】
化粧箱は、持ち手のあるインテリア性の高い化粧箱であり、収容するぬいぐるみ生ゴミ処理器と容器をどこにでも持ち運ぶことが可能となった。
以上のように問題点を解決している。
【考案の効果】
【０００９】
上述の様に、本考案のぬいぐるみ生ゴミ処理器は可愛いぬいぐるみという形態のためインテリア性が高く、室内に置くことが可能であることから天気や季節、昼夜を問わず利用できる便利な生ゴミ処理器である。さらに生ゴミを投入するごとに処理材の温度・重さを測ることで微生物が食物を食べる（分解する）様子を知ることができる。また容器を植木鉢として利用し、作った堆肥を使いプチトマト等の食物を育て実ったプチトマト等を食べ、ヘタを生ゴミとして再び、ぬいぐるみ生ゴミ処理器で分解するという食の連鎖の仕組みを目の当たりにすることができ、子供達の理科の教材としても役立つ生ゴミ処理器セットである。
【考案を実施するための最良の形態】
【００１０】
ぬいぐるみには動物・人形・植物・ケーキ等の食べ物・乗り物等さまざまな形態がある。本考案では動物のぬいぐるみを例に取り最良の形態を説明する。
本ぬいぐるみ生ゴミ処理器は通気性が良く目が細かい布等適宜素材にて頭部と腹部を形成する。ぬいぐるみ生ゴミ処理器の頭部・手足・尻尾は木グスやパンヤ等適宜素材を詰める。ぬいぐるみ生ゴミ処理器の腹部にはファスナ等適宜素材による開閉口があり収納スペースが設けられている。中には通気性が良く目が細かい布等適宜素材で作った小さなぬいぐるみが入れ子になっている。小さなぬいぐるみにはファスナ等適宜素材による開閉口があり中に生ゴミ処理材を入れる。
生ゴミを処理するときは、ぬいぐるみ生ゴミ処理器の腹部ファスナ等の開閉口から小さなぬいぐるみを取り出し、事前に生ゴミ処理材を入れた小さなぬいぐるみの開閉口を開け、みじん切りサイズにした生ゴミを入れ開口を閉じる。小さなぬいぐるみをぬいぐるみ生ゴミ処理器に戻し開口を閉じ容器さらに化粧箱に入れ、生ゴミ処理材内の微生物による分解を持つ。
【実施例１】
【００１１】
以下、添付図面に従って実施例を説明する。図１は、本考案ぬいぐるみ生ゴミ処理器の一部断面図であって、１は、通気性のある目の細かい布等適宜素材にて形成されたぬいぐるみ生ゴミ処理器、２は小さなぬいぐるみを収納するためにぬいぐるみ生ゴミ処理器１に設けた収納スペースで、この収納スペース２はファスナ等適宜素材にて開閉自在となる。
【００１２】
図２は、本ぬいぐるみ生ゴミ処理器内収納スペースに収納される小さなぬいぐるみ３の一部断面図である。３は、通気性のある目の細かい布等適宜素材にて形成されたぬいぐるみでぬいぐるみ生ゴミ処理器１より小さく、収納スペース２に収納される。４は、５の生ゴミ処理材と生ゴミを収納するために設けた収納スペースで、収納スペース４はファスナ等適宜素材にて開閉自在となる。
【００１３】
図３は、図２が図１に収納された状態の一部断面図である。
【００１４】
図４は、ぬいぐるみ生ゴミ処理器を収納する容器6の図である。
【００１５】
図５は、ぬいぐるみ生ゴミ処理器と容器を収納する化粧箱の一部断面図である。７は、防水性のある紙等適宜素材にて形成された持ち手のある化粧箱である。
【図面の簡単な説明】
【００１６】
【図１】本ぬいぐるみ生ゴミ処理器の一部断面図であり内部の収納スペースには小さなぬいぐるみが収納される。
【図２】小さなぬいぐるみの断面図であり、内部の収納スペースに生ゴミ処理材と生ゴミが収納される。
【図３】本考案のぬいぐるみ生ゴミ処理器の実施例を示す一部断面図である
【図４】本ぬいぐるみ生ゴミ処理器を収納する容器である
【図５】本ぬいぐるみ生ゴミ処理器と容器を収納する化粧箱の一部断面図である
【符号の説明】
【００１７】
１    ぬいぐるみ生ゴミ処理器
２    小さなぬいぐるみの収納スペース
３    小さなぬいぐるみ
４    生ゴミ処理材の収納スペース
５    生ゴミ処理材と生ゴミ
６    容器
７    化粧箱
【図１】
0003148426.tif 000003
【図２】
0003148426.tif 000004
【図３】
0003148426.tif 000005
【図４】
0003148426.tif 000006
【図５】
0003148426.tif 000007